(57)【要約】【課題】留め具の取付位置を自由に調整可能とする。【解決手段】本発明のネクタイの留め具１１は、略逆三角形状の前壁１５と、前壁１５の左辺側及び右辺側から後方に折曲される左右側壁１６ａ，１６ｂと、着用者の首に巻き付けられる紐状部材１３が上下に通過可能なように左右側壁１６ａ，１６ｂの裏側に形成される通過部１７ａ，１７ｂと、下端裏側においてネクタイ本体１２の上端部２０を挟持可能なように形成される保持部１８とを備え、本発明の着脱式ネクタイ１０は、留め具１１と、留め具１１の保持部１８に保持されて垂下されるネクタイ本体１２と、ネクタイ本体１２の裏側から留め具１１の裏側を通る紐状部材１３と、紐状部材１３を貫通してネクタイ本体１２の裏側において紐状部材１３に沿って上下にスライド可能且つ所望な位置で紐状部材１３に係止可能なストッパー部材１４とを備えていることを特徴とする。【選択図】図１
2010111971.tif 000002
【特許請求の範囲】
【請求項１】
略逆三角形状の前壁と、該前壁の左辺側及び右辺側からそれぞれ後方に折曲されて形成される左右側壁と、着用者の首に巻き付けられる紐状部材が上下に通過可能なように前記左右側壁の裏側に形成される通過部と、下端裏側においてネクタイ本体の上端部を挟持可能なように前記左右側壁の間に形成される保持部とを備えていることを特徴とするネクタイの留め具。
【請求項２】
請求項１に記載のネクタイの留め具を備えた着脱式ネクタイであって、
前記留め具の保持部に保持されて垂下されるネクタイ本体と、
該ネクタイ本体の裏側から前記留め具の裏側を通って着用者の首に巻き付け可能な紐状部材と、
該紐状部材を貫通して前記ネクタイ本体の裏側において前記紐状部材に沿って上下にスライド可能且つ所望な位置で前記紐状部材に係止可能なストッパー部材と、
を備えていることを特徴とする着脱式ネクタイ。
【請求項３】
前記ネクタイ本体の上端部にくびれた部分を形成可能な結束具を備えている請求項２に記載の着脱式ネクタイ。
【請求項４】
前記ネクタイ本体の裏側において該ネクタイ本体を束ねる長さ調整具を備えている請求項２又は３に記載の着脱式ネクタイ。
【発明の詳細な説明】
【技術分野】
【０００１】
本発明は、ワイシャツ等の着用物への着脱が容易なネクタイの留め具及び該留め具を備えた着脱式ネクタイに関するものである。
【背景技術】
【０００２】
一般に、ネクタイは布製で細長い帯状を成しており、ワイシャツの襟の下を通って首に巻き付けられ、ワイシャツの前面において、結び目部分が作られ、垂下されて装着される。
【０００３】
ところが、上記した従来のネクタイは、結び目部分を作ったり、垂下されるネクタイの長さを調整したりするのに手間が掛かるといった問題があった。そのため、従来、装着が容易な着脱式ネクタイが種々提案されている（例えば、特許文献１参照）。
【０００４】
この特許文献１に記載のネクタイは、首に巻かれるネクタイの首部を切断して主ネクタイ部と補助ネクタイ部とに分離し、各ネクタイ部の切断部位にマジックテープ（登録商標）等の固定手段をそれぞれ取り付けたものである。
【０００５】
しかしながら、このネクタイは、シャツに各補助固定手段を接合しておく必要があるため、一般に市販されているワイシャツ等にそのまま取り付けることはできないといった問題や、各ネクタイ部を結んで結び目部を形成しているため、各ネクタイ部と結び目部の柄や色を互いに異なるものとするなど組み合わせを楽しむことができないといった問題があった。
【０００６】
そこで、このような問題を解決すべく、本出願人は、以前、ネクタイの結び目部分に留め具を設け、該留め具にネクタイ本体の上端部を保持させて垂下させるように構成した着脱式ネクタイを考案し、実用新案登録を取得した。この着脱式ネクタイは、留め具に切れ込み部を設け、この切れ込み部に着用者の首元付近に位置するワイシャツのボタン等の掛止具を引っ掛けるようにしたものである（特許文献２参照）。
【特許文献１】実開平９−２４４号公報
【特許文献２】実用新案登録第３１３３８９４号公報
【発明の開示】
【発明が解決しようとする課題】
【０００７】
しかしながら、上記した特許文献２に記載の着脱式ネクタイは、留め部をワイシャツのボタン等の掛止具に引っ掛けるように構成されているため、留め具が一定位置に固定されてしまい、緩めることができないといった問題や、ボタンを縫着している糸が留め具の重みや摩擦によって切れて該留め具が脱落するといった問題があった。
【０００８】
本発明は、上記した課題を解決すべくなされたものであり、留め具の取付位置を自由に調整することができ、留め具の重みや摩擦により留め具が脱落することのないネクタイの留め具及び該留め具を備えた着脱式ネクタイを提供することを目的とするものである。
【課題を解決するための手段】
【０００９】
本発明は、略逆三角形状の前壁と、該前壁の左辺側及び右辺側からそれぞれ後方に折曲されて形成される左右側壁と、着用者の首に巻き付けられる紐状部材が上下に通過可能なように前記左右側壁の裏側に形成される通過部と、下端裏側においてネクタイ本体の上端部を挟持可能なように前記左右側壁の間に形成される保持部とを備えていることを特徴とするネクタイの留め具である。
【００１０】
また、本発明は、上記したネクタイの留め具を備えた着脱式ネクタイであって、前記留め具の保持部に保持されて垂下されるネクタイ本体と、該ネクタイ本体の裏側から前記留め具の裏側を通って着用者の首に巻き付け可能な紐状部材と、該紐状部材を貫通して前記ネクタイ本体の裏側において前記紐状部材に沿って上下にスライド可能且つ所望な位置で前記紐状部材に係止可能なストッパー部材とを備えていることを特徴とする。
【００１１】
そして、前記ネクタイ本体の上端部にくびれた部分を形成可能な結束具を備えていてもよい。
【００１２】
また、前記ネクタイ本体の裏側において該ネクタイ本体を束ねる長さ調整具を備えていてもよい。
【発明の効果】
【００１３】
本発明によれば、留め部を任意の位置の取り付けることができると共に、ボタンを縫着している糸が留め具の重みや摩擦によって切れて留め具が脱落するおそれもない。
【００１４】
また、ネクタイ本体と留め具とは、互いに異なる柄や色とすることができるので、様々な柄や色の組み合わせを楽しむことが可能となる。
【００１５】
さらに、ネクタイ本体の上端部にくびれた部分を形成することにより、ネクタイ本体を留め具の保持部にしっかりと固定することができ、ネクタイ本体の留め具からの脱落を防止することができる。
【００１６】
さらにまた、ネクタイ本体を束ねる長さ調整具を設けることにより、一般に市販されているネクタイを使用することができるため、汎用性を高めることができる。
【発明を実施するための最良の形態】
【００１７】
以下、図面を参照しつつ、本発明の実施形態について詳細に説明する。ここで、図１は本発明の実施の形態に係る着脱式ネクタイの裏側を示す説明図、図２は本発明の実施の形態に係る留め具を表側から示す斜視図、図３は同留め具を裏側から示す斜視図、図４は本発明の実施の形態に係る着脱式ネクタイにおいて結束具を取り付けたネクタイ本体を示す正面図、図５（ａ）は同着脱式ネクタイにおいて紐状部材に係止させる時のストッパー部材を示す平面図、図５（ｂ）は同着脱式ネクタイにおいて紐状部材に沿って上下にスライドさせる時のストッパー部材を示す平面図、図６は同着脱式ネクタイの長さ調整具を示す平面図、図７は同着脱式ネクタイを着用した状態を示す正面図である。
【００１８】
図１に示されているように、本発明の実施の形態に係る着脱式ネクタイ１０は、ネクタイの結び目に相当する位置に設けられる留め具１１と、留め具１１に保持されて垂下されるネクタイ本体１２と、ネクタイ本体１２の裏側から留め具１１の裏側を通って着用者の首に巻き付け可能な紐状部材１３と、紐状部材１３を貫通してネクタイ本体１２の裏側において紐状部材１３に沿って上下にスライド可能且つ所望な位置で紐状部材１３に係止可能なストッパー部材１４とを備えて構成されている。
【００１９】
図２及び図３に良く示されているように、留め具１１は、略逆三角形状の前壁１５と、前壁１５の左辺側、右辺側及び上辺側からそれぞれ後方に折曲されて形成される左右側壁１６ａ，１６ｂ及び上側壁１６ｃと、着用者の首に巻き付けられる紐状部材１３が上下に通過可能なように左右側壁１６ａ，１６ｂの裏側にそれぞれ形成される通過部１７ａ，１７ｂと、下端裏側においてネクタイ本体１２の上端部２０を挟持可能なように左右側壁１６ａ，１６ｂの間に形成される保持部１８とを備えている。
【００２０】
留め具１１は、略四角形の金属製の板を曲げ加工したり、型を作ったり等して作成することができ、光沢のある金属色としたり、宝石を付着させるなど装飾加工を施したり、その他適宜の色や柄を付したものとすることができる。左右側壁１６ａ，１６ｂは、それぞれ前壁１５に対して適宜の丸みを帯びて連続して形成されており、ネクタイの結び目をイメージさせる形状となっている。また、留め具１１のこの上辺部１９は、ワイシャツ等の着用物の首元付近の箇所に接触する部分であるため、首元にフィットするような凹状の曲面とすることが望ましく、内側に丸みを帯びて折曲されていてもよい。また、保持部は、左右側壁１６ａ，１６ｂが接近して８ｍｍ程度の間隔を有して略馬蹄形に形成されている。
【００２１】
ネクタイ本体１２は、一般に市販されているネクタイを使用することができ、図４に良く示されているように、中間位置で折り曲げられ、該折り曲げ部分を上端部２０として、その一端側が表側の大検部２１、他端側が裏側の小剣部２２となる。ネクタイ本体１２の上端部２０は、環状のゴムや布製の結束具２３を取り付けたり、縫製したりすることによってくびれた部分２４を形成された状態で保持部１８に挟み込まれて留め具１１に取り付けられる。このように、このくびれた部分２４を留め具１１の保持部１８に挟み込ませることにより、くびれた部分２４の上方部分が留め具１１の内側において保持部１８の開口幅よりも大きく広がるため、ネクタイ本体１２は留め具１１にしっかりと保持され、脱落が防止されるようになっている。
【００２２】
また、ネクタイ本体１２の小剣部２２は大検部２１より短くなるように長さ調整具２５によって束ねられ、ネクタイ本体１２のループ３２に差し込むことによって保持される。図６に示されているように、長さ調整具２５は、金属板に２個の長孔２６を穿設して形成し、各長孔２６にネクタイ本体１２の小剣部２２を通すことによって小剣部２２の長さを短く調整可能なようになっている。
【００２３】
なお、長さ調整具２５は、上記した構造や形状に限定されるものではなく、例えば、ネクタイピンのようなものであってもよい。また、ネクタイ本体１２を一般に市販されているネクタイよりも短い専用品とした場合には、長さ調整具２５を省略することもできる。
【００２４】
紐状部材１３は、チェーンを環状に繋げて形成することができ、紐状部材１３に長さ調整具２５やアクセサリー２６等を繋げてもよく、これにより、ストッパー部材１４の紐状部材１３からの脱落を防止することができる。
【００２５】
ストッパー部材１４は、図５（ａ）及び図５（ｂ）に良く示されているように、略球形状の本体部２７と、本体部２７に上下方向に形成された通孔２８と、本体部２７の側面に突設された操作釦２９とを備えて構成されている。図５（ａ）に示されているように、操作釦２９は弾性部材（図示省略）により常時は外方に付勢されて通孔２８を狭めるように作用し、操作釦２９を押し込むことにより通孔２８が開放されるようになっている。
【００２６】
次に、本発明の実施の形態に係る着脱式ネクタイ１０の組み立て方法について説明する。
【００２７】
先ず、ネクタイ本体１２をその中間位置で折り曲げ、該折り曲げ部分を上端部２０とし、紐状部材１３にストッパー部材１４を係止させてネクタイ本体１２の裏側を通す。そして、所定長の紐状部材１３を上端部２０の上方から延出させると共にストッパー部材１４がネクタイ本体１２の裏側に来るように上端部２０に結束具２３を取り付ける。これにより、ネクタイ本体１２の上端部２０によって紐状部材１３が包み込まれた状態になると共に上端部２０にくびれた部分２４が形成される。またこの時、小剣部２２が大検部２１より長くなる場合には、小剣部２２を長さ調整具２５の各長孔２６に通して小剣部２２の長さを大検部２１より短くなるように調整する。
【００２８】
次いで、ネクタイ本体１２の上端部２０のくびれた部分２４を留め具１１の保持部１８に挟み込ませ、ネクタイ本体１２を留め具１１に固定し、紐状部材１３の上方延出部分を留め具１１の通過部１７ａ，１７ｂを通して留め具１１の上方に引き出す。なお、この時、ネクタイ本体１２の上端部２０が紐状部材１３を包み込むことにより太く硬くなっていると共に上端部２０にくびれた部分２４を有しているため、ネクタイ本体１２は留め具１１にしっかりと固定される。
【００２９】
その後、紐状部材１３の上端部２０から上方に引き出された部分３１を着用者のワイシャツ３０の襟の下に通して首に巻き付ける。そして、この状態で、操作釦２９を押し込みながらストッパー部材１４を紐状部材１３に沿って留め具１１の直ぐ下方まで上昇させて操作釦２９を離すと、操作釦２９が前記弾性部材の付勢力により外方に突出して通孔２８が狭められ、ストッパー部材１４は紐状部材１３に係止する。この結果、図７に示すように、ワイシャツ３０の前面において、ネクタイの結び目の位置に留め具１１が固定され、ネクタイ本体１２が留め具１１から垂下された状態となる。
【００３０】
なお、この時、必ずしも留め具１１をネクタイの結び目の位置に固定する必要はなく、紐状部材１３に対するストッパー部材１４の係止位置を変えることにより、着用者の服装や好みに合わせて留め具１１を任意な位置に取り付けることが可能となる。そして、例えば、留め具１１をネクタイの結び目の位置より下ろした位置に取り付けた場合（すなわち、ネクタイを緩めた状態）でも前壁１５の上辺側から後方下側に向かって上側壁１６ｃが形成されているため、前面上方から留め具１１の裏側が視認されることがなく、デザイン性の向上を図ることができる。
【００３１】
また、ネクタイ本体１２と留め具１１とは、互いに異なる柄や色とすることができるので、多種多様な柄や色の組み合わせを楽しむこともできる。
【００３２】
さらにまた、留め具１１の直ぐ下方にストッパー部材１４を取り付けることによりネクタイ本体１２と留め具１１とをより一体化することができ、ネクタイ本体１２の留め具１１からの脱落を防止することができる。
なお、上記した実施の形態では、ネクタイ本体１２の上端部２０に結束具２３を取り付けることによりくびれた部分２４を形成しているが、ネクタイ本体１２の上端部２０は紐状部材１３を包み込むことにより太く硬くなっているため、必ずしも上端部２０にくびれた部分２４を形成しなくともネクタイ本体１２が留め具１１から脱落するおそれはない。
【図面の簡単な説明】
【００３３】
【図１】本発明の実施の形態に係る着脱式ネクタイの裏側を示す説明図である。
【図２】本発明の実施の形態に係る留め具を表側から示す斜視図である。
【図３】本発明の実施の形態に係る留め具を裏側から示す斜視図である。
【図４】本発明の実施の形態に係る着脱式ネクタイにおいて結束具を取り付けたネクタイ本体を示す正面図である。
【図５】（ａ）は本発明の実施の形態に係る着脱式ネクタイにおいて紐状部材に係止させる時のストッパー部材を示す平面図、（ｂ）は本発明の実施の形態に係る着脱式ネクタイにおいて紐状部材に沿って上下にスライドさせる時のストッパー部材を示す平面図である。
【図６】本発明の実施の形態に係る着脱式ネクタイの長さ調整具を示す平面図である。
【図７】本発明の実施の形態に係る着脱式ネクタイをワイシャツに着用した状態を示す正面図である。
【符号の説明】
【００３４】
１０            着脱式ネクタイ
１１            留め具
１２            ネクタイ本体
１３            紐状部材
１４            ストッパー部材
１５            前壁
１６ａ，１６ｂ  左右側壁
１７ａ，１７ｂ  通過部
１８            保持部
２０            上端部
２３            結束具
２５            長さ調整具
【図１】
2010111971.tif 000003
【図２】
2010111971.tif 000004
【図３】
2010111971.tif 000005
【図４】
2010111971.tif 000006
【図５】
2010111971.tif 000007
【図６】
2010111971.tif 000008
【図７】
2010111971.tif 000009